(57)【要約】【課題】傾斜面を想定した状態を具現した練習装置であって、軽量性に優れ、持ち運びやすく、さらに傾斜面にボールを安定して置くことができるゴルフ練習台。【解決手段】平面視矩形状の直方体であって上辺側からこれに対向する下辺側に向けて下り傾斜する傾斜面を有する基台と、前記傾斜面の上に配置される人工芝とからなり、前記傾斜面の上面と人工芝の底面との間に、前記傾斜面の上下辺と平行に延びる弾性部材が配置されているゴルフ練習台。【選択図】図１
2009112549.tif 000002
【特許請求の範囲】
【請求項１】
平面視矩形状の直方体であって上辺側からこれに対向する下辺側に向けて下り傾斜する傾斜面を有する基台と、前記傾斜面の上に配置される人工芝とからなり、前記傾斜面の上面と人工芝の底面との間に、前記傾斜面の上辺及び下辺と平行に延びる弾性部材が配置されていることを特徴とするゴルフ練習台。
【請求項２】
弾性部材は傾斜面の上面あるいは、人工芝の底面に取付けられていることを特徴とする請求項１記載のゴルフ練習台。
【請求項３】
弾性部材は、前記傾斜面の下辺と上辺との間に所定の間隔を空けて２本配置されていることを特徴とする請求項１又は２記載のゴルフ練習台。
【請求項４】
弾性部材は、ひも状のスポンジ部材からなることを特徴とする請求項１乃至３のいずれか一項に記載のゴルフ練習台。
【請求項５】
傾斜面の上面にクッション材層が形成されていることを特徴とする請求項１乃至４のいずれか一項に記載のゴルフ練習台。
【請求項６】
前記基台を中空としたことを特徴とする請求項１乃至５のいずれか一項に記載のゴルフ練習台。
【請求項７】
前記基台の上辺を含む側面部に取っ手を取付けたことを特徴とする請求項１乃至６のいずれか一項記載のゴルフ練習台。
【発明の詳細な説明】
【技術分野】
【０００１】
本発明は、ゴルフのショットを練習するための装置で、特に傾斜した場所でショットをする場合を想定したゴルフ練習台に関する。
【背景技術】
【０００２】
従来より、実際のゴルフコースにおいては、起伏等があって平らなところからゴルフボールを打つことは少ないため、練習時においても傾斜面を想定した状態で練習したいとする要望があった。そのため、こうした傾斜面を想定した状態を具現した練習装置は、多様に開発されている。
【０００３】
例えば、基板の裏面に植設された複数のナットに対して選択的に螺合されたアジャスターボルトを介して高さ調節を行うことにより、基板の表面に配置された人工芝のショットマットにおけるマット面の傾斜角が任意の角度に調節可能であることを特徴とするゴルフ練習台が知られている（特許文献１参照）。
【０００４】
又、傾斜面を有する基台に短冊状の複数枚の人工芝生を、傾斜面の上下辺と平行になるような隙間を持たせて、設置したことを特徴とするゴルフ練習用マットも知られている（特許文献２参照）。
【特許文献１】特開平１０−３２６７１号公報
【特許文献２】特開２００６−１５０９１号公報
【発明の開示】
【発明が解決しようとする課題】
【０００５】
上述した従来技術のうち特許文献１に関する発明においては、傾斜面のみならず、平坦地も含めた任意の状態を再現させることができる練習台となる。しかし、傾斜面をつくり出すために、ボルトとナットを使用により微調整を行う構成のため、傾斜面をつくりだすのが面倒であり、また、構造が複雑であるため重量も嵩み、持ち運び難いという問題があった。
【０００６】
また、特許文献２に関する発明においては、軽量性は確保されているとしても、傾斜面にボールを静止させるためには、人工芝生間の隙間に置かざるを得ないため、人工芝生の配置に相当の注意を払わなければ、ボールを安定的に置くことができず、また、実際のゴルフコースにおいて想定されるボールの位置より若干低い所にボールが位置することとなっていた。
【０００７】
そこで、本発明は、従来知られていた前記のゴルフ練習台及びゴルフ練習用マットにおける前記問題点を解決し、ゴルフコースにおける傾斜面を想定した状態を具現したゴルフ練習装置であって、軽量性に優れ、持ち運びやすく、さらに傾斜面にゴルフボールを安定して置くことができるゴルフ練習台を提供することを目的とする。
【課題を解決するための手段】
【０００８】
前記目的を達成するためこの発明が提案するゴルフ練習台は、平面視矩形状の直方体であって上辺側から下辺側に向けて下り傾斜する傾斜面を有する基台と、前記傾斜面の上に配置される人工芝とから成り、前記傾斜面の上面と人工芝の底面との間に、前記傾斜面の上辺及び下辺と平行に延びる弾性部材が配置されていることを特徴とするものである。
【０００９】
前記において、基台は、練習者が両足を広げて乗ったり、片足上がりや片足下がりで乗ったりすると共にボールを置くのに適した寸法の平面視矩形状の直方体であって、上面を、一辺（上辺）側からこれに対向する他辺（下辺）側に向けて下り傾斜する傾斜面とする。
【００１０】
ここで、その傾斜角度は、実際のゴルフコースの傾斜面を考慮し２０度から４５度程度の角度であることが好ましい。
【００１１】
また、前記基台は、傾斜部に練習者が乗っても形が崩れない程度の強度を有し、かつ、持ち運びに苦労しない重量を維持する必要があるため、木製又は合成樹脂製の板及び発泡スチロールを使用して形成することができる。ただし、傾斜部に足を置いても形が崩れない程度の強度を満たし、かつ、持ち運びに苦労しない重量を維持できるものであれば、素材は問わない。
【００１２】
前記の弾性部材は、当該弾性部材が配置されている部分の人工芝の表面に上下辺と平行に延びる突条を形成し、かつ、クラブをスイングする際には、該クラブによる圧力で当該弾性部材がつぶれて、前記人工芝の表面に形成されていた突条が邪魔にならないようにすることを目的とするもので、前記傾斜面の上面と人工芝の底面との間に、前記傾斜面の上下辺と平行に配置し、取付けるものである。
【００１３】
前記弾性部材は前記基台の傾斜面の上面に取付けても良いし、人工芝の底面に取り付けても良い。また、前記弾性部材は傾斜面の下辺と上辺との間に、所定の間隔をあけて２本以上配置することもできる。前記弾性部材はひも状のスポンジ部材が望ましいが、前記目的を達成できる形状、材質であれば良い。
【００１４】
前記基台の傾斜面の上面に、クッション材層を形成することができる。これにより、ゴルフクラブでスイングをする際に生ずる基台及びクラブへの衝撃を和らげることができる。前記クッション材層は、ウレタンやゴムスポンジ、合成ゴム体など、前記目的を達成することができるものであれば、素材は問わない。
【００１５】
前記基台は中空にすることができる。これにより一層の軽量化を図ることができる。
【００１６】
前記基台の上辺を含む側面部に取っ手を取付けることができる。取っ手があることにより、持ち運びを容易にすることができる。
【発明の効果】
【００１７】
本発明によれば、基台の傾斜面の上面と人工芝の底面との間に弾性部材が存在することによって、基台の傾斜面に沿って傾斜している人工芝の表面に上辺及び下辺と平行に延びる突条が形成される。この突条を利用して、表面が傾斜している人工芝の上に安定的にボールを置くことができる。また、ゴルフクラブをスイングする際には、該クラブによる圧力で当該弾性部材がつぶれ、前記人工芝の表面に形成されていた突条が邪魔にならないゴルフ練習台を提供することができる。
【００１８】
また、基台の構成要素に軽量の発泡スチロールを用い、さらに基台を中空とすることで、軽量性を図り、持ち運びの容易なゴルフ練習台を提供することができる。
【００１９】
更に、基台の側面部に取っ手を取付けることで、持ち運びがますます容易なゴルフ練習台を提供することができる。
【発明を実施するための最良の形態】
【００２０】
以下、添付図面を参照して本発明の好ましい実施形態を説明する。
【００２１】
図１〜図３図示の本発明のゴルフ練習台は、基台１０と、基台１０の上側に配置される人工芝４とからなる。
【００２２】
人工芝４はその四周や、底面の一部あるいは全体を基台１０の四周や、基台１０の上面の一部あるいは全体に固定する等によって基台１０の上側に配置することができるが、基台１０の上辺２０に対応する人工芝４の上辺部のみを基台１０の上辺２０に固定することによって基台１０の上側に配置することもできる。
【００２３】
基台１０は、平面視矩形状の直方体であって上辺２０の側から下辺２１の側に向けて図３図示のように下り傾斜する傾斜面２２を備えている。
【００２４】
人工芝４は基台１０の傾斜面２２の上に取り付けられるもので、その表面は、図示のように傾斜面２２に沿って、上辺２０の側から下辺２１側に向かって傾斜するようになる。
【００２５】
図示の実施形態では、ゴルフ練習台を使用する練習者が両足を広げて乗ると共にボールを置くのに適した寸法として、基台１０の傾斜面２２の平面視での矩形形状は、長さ：８０ｃｍ、幅：４０ｃｍの長方形状としたが、前記目的を達成できる大きさであれば、寸法は問わない。
【００２６】
また、図示の実施形態では、傾斜面２２の最高高さ（上辺２０側の高さ）を１０ｃｍ、最低高さ（下辺２１側の高さ）を３ｃｍとしている。前記最高高さ及び最低高さは、実際のゴルフコースの傾斜面を考慮して、傾斜面２２の傾斜角度が２０度から４５度程度の角度を確保できるようになれば、どのような高さにすることもできる。
【００２７】
基台１０は、図示の実施形態では、木製の板１、１と、該木製の板１、１間に挟着した発泡スチロール２とから構成されている。発泡スチロール２は図３図示の通り、内部が中空となるようにし、軽量性を確保したが、本発明のゴルフ練習台を使用して練習する者が傾斜面に足を置いても形が崩れない程度の強度を満たし、かつ、持ち運びに苦労しない程度の重量を維持できるものであれば、中空である必要はなく、また、素材も問わない。
【００２８】
本発明のゴルフ練習台では、傾斜面２２の上面と人工芝４の底面との間に弾性部材が上辺２０、下辺２１と平行に延びるように配備されている。
【００２９】
傾斜面２２の上面と人工芝４の底面の間に、上辺２０、下辺２１と平行に延びるように弾性部材を配備するのは、これによって、傾斜面２２に沿って傾斜している人工芝４の表面に、上辺２０、下辺２１と平行に延びるこぶ条２３（図３）を形成し、このこぶ条２３の上方に図３図示のように置かれたゴルフボール２４が、傾斜している人工芝４の表面を下側方向に向けて矢印２５方向に転がり落ちることがないようにするものである。
【００３０】
図示の実施形態では、高さ及び幅をそれぞれ１ｃｍ程度とし、基台１０の長手方向のほぼ全長に渡る長さを有する紐状のスポンジ部材５、５を、傾斜面２２の上辺２０と下辺２１との間に所定の間隔をあけて配置している。これによって、図３に実線で示しているゴルフボール２４の位置にも、破線で示しているゴルフボール２６の位置にも安定してゴルフボールを置いて、傾斜面でのショットの練習を行うことができる。
【００３１】
弾性部材は前述した目的で傾斜面２２の上面と人工芝４の底面との間に配置されるものであるので、図示のように、傾斜面２２の上辺２０と下辺２１との間に所定の間隔をあけて２本、あるいは２本以上（不図示）配置することもできるし、図示していないが、１本のみ配置することもできる。
【００３２】
また、図示の実施形態では、基台１０の長手方向のほぼ全長に渡るように弾性部材を配置しているが、弾性部材の長さは、前述したように、傾斜している人工芝４の表面に置かれたボルフボールが下側方向に向けて矢印２５方向に転がり落ちることを防止できるものであれば十分であるので、この目的を達成できる程度の短い長さにすることができる。
【００３３】
このようにある程度短い長さの弾性部材を基台１０の長手方向に一直線状になるように、１本、１本、所定の感覚をあけて複数本配置することもできるし、ある程度短い長さの弾性部材を、基台１０の長手方向の異なる位置で、上辺２０と下辺２１との間の異なる位置に階段状に配置することもできる。
【００３４】
なお、図示の実施形態では、スポンジ部材５、５は図２図示のように傾斜面２２の上側に取付けているが、人工芝４の底面に取付ける形態にすることもできる。
【００３５】
この実施形態では、傾斜面２２の上面と人工芝４の底面との間に、上辺２０、下辺２１と平行に延びるように配備する弾性部材として、高さ及び幅をそれぞれ１ｃｍ程度としたスポンジ部材５、５を採用しているが、弾性部材が配備されていることによって、傾斜面２２に沿って傾斜している人工芝４の表面に、上辺２０、下辺２１と平行に延びるこぶ条２３が形成され、このこぶ条２３の上方に図３図示のように置かれたゴルフボール２４が、傾斜している人工芝４の表面を下側方向に向けて矢印２５方向に転がり落ちることを防止でき、なおかつ、ゴルフクラブをスイングする際に、該クラブによる圧力で弾性部材がつぶれ、前記の人工芝４の表面に形成されるこぶ条がスイングの邪魔にならないサイズと柔軟性を有するものであれば、前記のサイズ及び素材は問わない。
【００３６】
図示の実施形態では、基台１０の傾斜面の上面全体に接着によってクッション材層３を形成し、このクッション材層３の上に、人工芝４が配置され、クッション材層３の上面と人工芝４の底面との間に弾性部材が配備されるようになっている。
【００３７】
クッション材層３としては、ゴルフクラブでスイングをする際に生ずる基台１０への衝撃を和らげるためにゴムスポンジを使用することができる。
【００３８】
人工芝４には一定の弾性があるため、クッション材層３がなくても、本発明の目的は達成できるが、基台１０の傾斜面の上面にクッション材層３が形成されていると前記のように、ゴルフクラブでスイングをする際に生ずる基台１０への衝撃を和らげることができるので有利である。
【００３９】
図示の実施形態では、基台１０の上辺２０を含む側面部に取って６を取り付けている。すなわち、側面の中央部の各木製の板１、１と発泡スチロール２との間にリボン状の合成樹脂を挟着し、取っ手６、６としている。
【００４０】
取っ手６、６は、本発明のゴルフ練習台の持ち運びを容易にすることを目的として取付けるものであるので、取っ手として使用できる形状であれば、素材、形状は問わない。また、本ゴルフ練習台の全体を安定して支えることができるのであれば、基台１０の下辺２１を含む側面部、又は側辺含む側面部に取付けても良い。
【図面の簡単な説明】
【００４１】
【図１】本発明のゴルフ練習台の実施例の斜視図。
【図２】図１図示のゴルフ練習台の人工芝をめくった状態を説明する斜視図。
【図３】図１図示のゴルフ練習台の実施例の断面図。
【符号の説明】
【００４２】
１  木製の板
２  発泡スチロール
３  クッション材層
４  人工芝
５  スポンジ部材
６  取っ手
１０  基台
２０  傾斜面の上辺
２１  傾斜面の下辺
２２  傾斜面
【図１】
2009112549.tif 000003
【図２】
2009112549.tif 000004
【図３】
2009112549.tif 000005